(57)【要約】本発明の実施例に情報表示方法が開示され、上記方法は、第２ディスプレイに現在の表示内容を表示していることを検出した場合、第２ディスプレイに対応する通知イベントを監視し、通知イベントが現在の表示内容と異なる（Ｓ１０１）ことと、通知イベントを感知した場合、通知イベントを第１ディスプレイに表示し、少なくとも２つのディスプレイが第１ディスプレイと第２ディスプレイを含む（Ｓ１０２）ことと、を含む。本発明は、端末及び記憶媒体も同時に開示される。【選択図】図１
2020500352.tif 000002
【特許請求の範囲】
【請求項１】
少なくとも２つのディスプレイを備え、端末に適用される情報表示方法であって、
第２ディスプレイに現在の表示内容を表示していることを検出した場合、前記第２ディスプレイに対応する通知イベントを監視し、前記通知イベントが前記現在の表示内容と異なることと、
前記通知イベントを感知した場合、前記通知イベントを第１ディスプレイに表示し、前記少なくとも２つのディスプレイが前記第１ディスプレイと前記第２ディスプレイを含むことと、を含む、前記情報表示方法。
【請求項２】
前記第２ディスプレイに対応する通知イベントを監視した後、更に、
前記通知イベントを感知した場合、前記第２ディスプレイに前記通知イベントを表示することを終了することを含む
請求項１に記載の方法。
【請求項３】
前記通知イベントを感知した場合、前記通知イベントを第１ディスプレイに表示することは、
前記通知イベントの第１通知情報を取得し、前記第１通知情報が前記通知イベントのカテゴリ情報と前記カテゴリ情報に対応する第１内容情報を含み、前記第１通知情報が第１アプリケーションに対応する通知メッセージの関連情報であることと、
前記カテゴリ情報に基づいて、前記第１内容情報からそれぞれ異なるカテゴリ情報に対応する表示対象の情報を決定することと、
前記表示対象の情報を前記第１ディスプレイに表示することと、を含む
請求項１に記載の方法。
【請求項４】
前記カテゴリ情報は表示カテゴリ情報、操作可能カテゴリ情報及び表示且つ操作可能カテゴリ情報を含み、前記第１内容情報はテキスト情報と操作可能情報を含み、前記カテゴリ情報に基づいて、前記第１内容情報からそれぞれ異なるカテゴリ情報に対応する表示対象の情報を決定することは、
前記カテゴリ情報が前記表示カテゴリ情報であることを判定した場合、前記第１内容情報から前記表示カテゴリ情報に対応する前記テキスト情報を決定することと、
前記カテゴリ情報が前記操作可能カテゴリ情報であることを判定した場合、前記第１内容情報から前記操作可能カテゴリ情報に対応する前記操作可能情報を決定することと、
前記カテゴリ情報が前記表示且つ操作可能カテゴリ情報であることを判定した場合、前記第１内容情報から前記表示且つ操作可能カテゴリ情報に対応する前記テキスト情報と前記操作可能情報を決定することと、を含む
請求項３に記載の方法。
【請求項５】
前記表示対象の情報を前記第１ディスプレイに表示する前に、更に、
前記表示対象の情報を判定することと、
前記表示対象の情報が前記テキスト情報を含む場合、前記テキスト情報をプリセットの組版方式で組版することと、
前記表示対象の情報が前記操作可能情報を含む場合、前記操作可能情報に対応する操作可能ボタンを再レイアウトして、プリセットのソート方式でソートすることと、を含む
請求項４に記載の方法。
【請求項６】
前記表示対象の情報を前記第１ディスプレイに表示した後、更に、
前記カテゴリ情報が前記表示カテゴリ情報である場合、制御命令を受信して、前記制御命令に基づいて前記表示カテゴリ情報のインターフェースに対して対応する制御操作を実行することと、
前記カテゴリ情報が前記操作可能カテゴリ情報又は前記表示且つ操作可能カテゴリ情報である場合、第１命令を受信して、前記第１命令に基づいて対応する操作可能ボタンの機能操作を実行することと、を含む
請求項４に記載の方法。
【請求項７】
前記第１ディスプレイと前記第２ディスプレイがタッチディスプレイである
請求項１〜６のいずれか１項に記載の方法。
【請求項８】
少なくとも２つのディスプレイを備える端末であって、
第２ディスプレイに現在の表示内容を表示していることを検出した場合、前記第２ディスプレイに対応する通知イベントを監視するように構成され、前記通知イベントが前記現在の表示内容と異なる監視ユニットと、
前記通知イベントを感知した場合、前記通知イベントを第１ディスプレイに表示するように構成され、前記少なくとも２つのディスプレイが前記第１ディスプレイと前記第２ディスプレイを含む表示ユニットと、を備える、前記端末。
【請求項９】
前記端末は、更に、
前記通知イベントを感知した場合、前記第２ディスプレイに前記通知イベントを表示することを終了するように構成される終了ユニットを備える
請求項８に記載の端末。
【請求項１０】
前記端末は更に取得ユニットと決定ユニットを備え、
前記取得ユニットは、前記通知イベントの第１通知情報を取得するように構成され、前記第１通知情報が前記通知イベントのカテゴリ情報と前記カテゴリ情報に対応する第１内容情報を含み、前記第１通知情報が第１アプリケーションに対応する通知メッセージの関連情報であり、
前記決定ユニットは、前記カテゴリ情報に基づいて、前記第１内容情報からそれぞれ異なるカテゴリ情報に対応する表示対象の情報を決定するように構成され、
前記表示ユニットは、前記表示対象の情報を前記第１ディスプレイに表示するように構成される
請求項８に記載の端末。
【請求項１１】
前記決定ユニットは、前記カテゴリ情報が前記表示カテゴリ情報であることを判定した場合、前記第１内容情報から前記表示カテゴリ情報に対応する前記テキスト情報を決定し、前記カテゴリ情報が前記操作可能カテゴリ情報であることを判定した場合、前記第１内容情報から前記操作可能カテゴリ情報に対応する前記操作可能情報を決定し、前記カテゴリ情報が前記表示且つ操作可能カテゴリ情報であることを判定した場合、前記第１内容情報から前記表示且つ操作可能カテゴリ情報に対応する前記テキスト情報と前記操作可能情報を決定するように構成される
請求項１０に記載の端末。
【請求項１２】
前記端末は、更に、
前記表示対象の情報を判定するように構成される判定ユニットと、
前記表示対象の情報が前記テキスト情報を含む場合、前記テキスト情報をプリセットの組版方式で組版し、前記表示対象の情報が前記操作可能情報を含む場合、前記操作可能情報に対応する操作可能ボタンを再レイアウトして、プリセットのソート方式でソートするように構成される組版ユニットと、を備える
請求項１１に記載の端末。
【請求項１３】
前記端末は、更に、
前記カテゴリ情報が前記表示カテゴリ情報である場合、制御命令を受信し、前記カテゴリ情報が前記操作可能カテゴリ情報又は前記表示且つ操作可能カテゴリ情報である場合、第１命令を受信するように構成される受信ユニットと、
前記制御命令に基づいて前記表示カテゴリ情報のインターフェースに対して対応する制御操作を実行し、又は、前記第１命令に基づいて対応する操作可能ボタンの機能操作を実行するように構成される操作ユニットと、を備える
請求項１１に記載の端末。
【請求項１４】
コンピュータ記憶媒体であって、
前記コンピュータ記憶媒体にコンピュータ実行可能命令が記憶され、該コンピュータ実行可能命令は請求項１〜７のいずれか１項に記載の情報表示方法を実行することに用いられる、前記コンピュータ記憶媒体。
【発明の詳細な説明】
【技術分野】
【０００１】
本発明は電子応用分野における表示技術に関し、特に情報表示方法、端末及び記憶媒体に関する。
【背景技術】
【０００２】
電子科技の発展に伴い、モバイル端末の機能が多様化し、モバイル端末のスクリーンであるアプリケーションを実行しているとき、モバイル端末のバックグラウンドに複数のアプリケーションを同時に実行することができ、バックグラウンドで実行しているあるアプリケーションが通知メッセージを送るとした場合、ポップアップウィンドウ又はスクリーンにおける上方のバナーの方式でユーザーに処理するように通知する。
【０００３】
従来技術において、ユーザーがあるアプリケーションを使用しているとき、例えばビデオを見ており、ゲームをしているとき、モバイル端末のスクリーンにポップアップウィンドウがポップアップされ又はスクリーンにおける上方にバナーがポップアップされるとき、ユーザーがスクリーンにおける対応する操作ボタンをクリックして、通知メッセージに対して、対応する処理をする必要がある。
【０００４】
ところが、モバイル端末のスクリーンにバックグラウンドアプリケーションのポップアップウィンドウ又はスクリーンにおける上方のバナーがポップアップされるとき、ユーザーの実行中の操作又は使用中の機能に支障を来すため、モバイル端末のスクリーンの表示効果が低くなってしまう。
【発明の概要】
【発明が解決しようとする課題】
【０００５】
上記技術的問題を解決するために、本発明の実施例はモバイル端末のスクリーンの表示効果を向上させることのできる情報表示方法、端末及び記憶媒体を提供することが望まれている。
【課題を解決するための手段】
【０００６】
本発明の技術案は以下のように実現される。
【０００７】
本発明の実施例は少なくとも２つのディスプレイを備える端末に適用される情報表示方法を提供し、
第２ディスプレイに現在の表示内容を表示していることを検出した場合、前記第２ディスプレイに対応する通知イベントを監視し、前記通知イベントが前記現在の表示内容と異なることと、
前記通知イベントを感知した場合、前記通知イベントを第１ディスプレイに表示し、前記少なくとも２つのディスプレイが前記第１ディスプレイと前記第２ディスプレイを含むことと、を含む。
【０００８】
上記案では、前記第２ディスプレイに対応する通知イベントを監視した後、更に、
前記通知イベントを感知した場合、前記第２ディスプレイに前記通知イベントを表示することを終了することを含む。
【０００９】
上記案では、前記通知イベントを感知した場合、前記通知イベントを第１ディスプレイに表示することは、
前記通知イベントの第１通知情報を取得し、前記第１通知情報が前記通知イベントのカテゴリ情報と前記カテゴリ情報に対応する第１内容情報を含み、前記第１通知情報が第１アプリケーションに対応する通知メッセージの関連情報であることと、
前記カテゴリ情報に基づいて、前記第１内容情報からそれぞれ異なるカテゴリ情報に対応する表示対象の情報を決定することと、
前記表示対象の情報を前記第１ディスプレイに表示することと、を含む。
【００１０】
上記案では、前記カテゴリ情報は表示カテゴリ情報、操作可能カテゴリ情報及び表示且つ操作可能カテゴリ情報を含み、前記第１内容情報はテキスト情報と操作可能情報を含み、前記カテゴリ情報に基づいて、前記第１内容情報からそれぞれ異なるカテゴリ情報に対応する表示対象の情報を決定することは、
前記カテゴリ情報が前記表示カテゴリ情報であることを判定した場合、前記第１内容情報から前記表示カテゴリ情報に対応する前記テキスト情報を決定することと、
前記カテゴリ情報が前記操作可能カテゴリ情報であることを判定した場合、前記第１内容情報から前記操作可能カテゴリ情報に対応する前記操作可能情報を決定することと、
前記カテゴリ情報が前記表示且つ操作可能カテゴリ情報であることを判定した場合、前記第１内容情報から前記表示且つ操作可能カテゴリ情報に対応する前記テキスト情報と前記操作可能情報を決定することと、を含む。
【００１１】
上記案では、前記表示対象の情報を前記第１ディスプレイに表示する前に、更に、
前記表示対象の情報を判定することと、
前記表示対象の情報が前記テキスト情報を含む場合、前記テキスト情報をプリセットの組版方式で組版することと、
前記表示対象の情報が前記操作可能情報を含む場合、前記操作可能情報に対応する操作可能ボタンを再レイアウトして、プリセットのソート方式でソートすることと、を含む。
【００１２】
上記案では、前記表示対象の情報を前記第１ディスプレイに表示した後、更に、
前記カテゴリ情報が前記表示カテゴリ情報である場合、制御命令を受信して、前記制御命令に基づいて前記表示カテゴリ情報のインターフェースに対して対応する制御操作を実行することと、
前記カテゴリ情報が前記操作可能カテゴリ情報又は前記表示且つ操作可能カテゴリ情報である場合、第１命令を受信して、前記第１命令に基づいて対応する操作可能ボタンの機能操作を実行することと、を含む。
【００１３】
上記案では、前記第１ディスプレイと前記第２ディスプレイがタッチディスプレイである。
【００１４】
本発明の実施例は少なくとも２つのディスプレイを備える端末を提供し、前記端末は、
第２ディスプレイに現在の表示内容を表示していることを検出した場合、前記第２ディスプレイに対応する通知イベントを監視するように構成され、前記通知イベントが前記現在の表示内容と異なる監視ユニットと、
前記通知イベントを感知した場合、前記通知イベントを第１ディスプレイに表示するように構成され、前記少なくとも２つのディスプレイが前記第１ディスプレイと前記第２ディスプレイを含む表示ユニットと、を備える。
【００１５】
上記端末では、前記端末は、更に、
前記通知イベントを感知した場合、前記第２ディスプレイに前記通知イベントを表示することを終了するように構成される終了ユニットを備える。
【００１６】
上記端末では、前記端末は更に取得ユニットと決定ユニットを備え、
前記取得ユニットは、前記通知イベントの第１通知情報を取得するように構成され、前記第１通知情報が前記通知イベントのカテゴリ情報と前記カテゴリ情報に対応する第１内容情報を含み、前記第１通知情報が第１アプリケーションに対応する通知メッセージの関連情報であり、
前記決定ユニットは、前記カテゴリ情報に基づいて、前記第１内容情報からそれぞれ異なるカテゴリ情報に対応する表示対象の情報を決定するように構成され、
前記表示ユニットは、具体的に、前記表示対象の情報を前記第１ディスプレイに表示するように構成される。
【００１７】
上記端末では、前記決定ユニットは、具体的に、前記カテゴリ情報が前記表示カテゴリ情報であることを判定した場合、前記第１内容情報から前記表示カテゴリ情報に対応する前記テキスト情報を決定し、前記カテゴリ情報が前記操作可能カテゴリ情報であることを判定した場合、前記第１内容情報から前記操作可能カテゴリ情報に対応する前記操作可能情報を決定し、前記カテゴリ情報が前記表示且つ操作可能カテゴリ情報であることを判定した場合、前記第１内容情報から前記表示且つ操作可能カテゴリ情報に対応する前記テキスト情報と前記操作可能情報を決定するように構成される。
【００１８】
上記端末では、前記端末は、更に、
前記表示対象の情報を判定するように構成される判定ユニットと、
前記表示対象の情報が前記テキスト情報を含む場合、前記テキスト情報をプリセットの組版方式で組版し、前記表示対象の情報が前記操作可能情報を含む場合、前記操作可能情報に対応する操作可能ボタンを再レイアウトして、プリセットのソート方式でソートするように構成される組版ユニットと、を備える。
【００１９】
上記端末では、前記端末は、更に、
前記カテゴリ情報が前記表示カテゴリ情報である場合、制御命令を受信し、前記カテゴリ情報が前記操作可能カテゴリ情報又は前記表示且つ操作可能カテゴリ情報である場合、第１命令を受信するように構成される受信ユニットと、
前記制御命令に基づいて前記表示カテゴリ情報のインターフェースに対して対応する制御操作を実行し、又は、前記第１命令に基づいて対応する操作可能ボタンの機能操作を実行するように構成される操作ユニットと、を備える。
【００２０】
本発明の実施例は更にコンピュータ記憶媒体を提供し、前記コンピュータ記憶媒体にコンピュータ実行可能命令が記憶され、該コンピュータ実行可能命令は上記情報表示方法を実行することに用いられる。
【発明の効果】
【００２１】
本発明の実施例は情報表示方法、端末及び記憶媒体を提供し、第２ディスプレイに現在の表示内容を表示していることを検出した場合、第２ディスプレイに対応する通知イベントを監視し、通知イベントが現在の表示内容と異なり、通知イベントを感知した場合、通知イベントを第１ディスプレイに表示し、少なくとも２つのディスプレイが第１ディスプレイと第２ディスプレイを含む。上記技術案を用いることにより、モバイル端末における第１アプリケーションの通知イベントを第１ディスプレイに表示することができ、それによりユーザーの使用中の第２ディスプレイのスクリーンを遮るという問題を解決し、モバイル端末のスクリーンの表示効果を向上させる。
【図面の簡単な説明】
【００２２】
【図１】図１は本発明の実施例に係る情報表示方法のフローチャート１である。
【図２】図２は本発明の実施例に係る例示的な第１ディスプレイの表示内容の模式図である。
【図３】図３は本発明の実施例に係る情報表示方法のフローチャート２である。
【図４】図４は本発明の実施例に係る端末の構造模式図１である。
【図５】図５は本発明の実施例に係る端末の構造模式図２である。
【図６】図６は本発明の実施例に係る端末の構造模式図３である。
【図７】図７は本発明の実施例に係る端末の構造模式図４である。
【図８】図８は本発明の実施例に係る端末の構造模式図５である。
【図９】図９は本発明の実施例に係る端末の構造模式図６である。
【発明を実施するための形態】
【００２３】
以下、本発明の実施例の図面を参照しながら、本発明の実施例の技術案を明確且つ完全に説明する。
【００２４】
実施例１
本発明の実施例は情報表示方法を提供し、図１に示すように、端末に適用され、該端末は少なくとも２つのディスプレイを備え、該方法は以下のステップを含んでもよい。
【００２５】
Ｓ１０１において、第２ディスプレイに現在の表示内容を表示していることを検出した場合、該第２ディスプレイに対応する通知イベントを監視し、該通知イベントが該現在の表示内容と異なる。
【００２６】
本発明の実施例に係る情報表示方法は通知イベントが第１ディスプレイを遮るとき、通知イベントを第２ディスプレイに表示するシーンに適用される。
【００２７】
なお、本発明の実施例に係る情報表示方法の適用シーンは以下の通りである。端末に設置された第２ディスプレイに現在表示中の表示内容がある場合、更に表示すべき他の表示内容（すなわち、通知イベント）がある場合、第２ディスプレイに表示している表示内容に影響しないために、端末が通知イベントを第１ディスプレイに表示する。従って、端末は第２ディスプレイの表示状態をリアルタイムに検出することができ、第２ディスプレイに現在の表示内容を表示していることを検出した場合、後続の処理を行うことができるように、現在の表示内容と異なる通知イベントが発生するかどうかを監視する。そして、第２ディスプレイに現在の表示内容を表示することが検出されていない場合、第２ディスプレイに直接表示してもよい。
【００２８】
好ましくは、本発明の実施例における第２ディスプレイは端末のよく使用されるディスプレイ、ユーザーの使用中のディスプレイ又は端末のメインディスプレイ等であってもよく、本発明の実施例は制限しない。
【００２９】
好ましくは、本発明の実施例における端末は携帯電話等の少なくとも２つのディスプレイを有する通信機器であってもよい。
【００３０】
好ましくは、本発明の実施例における少なくとも２つのディスプレイは少なくとも一つのタッチディスプレイを含んでもよく、具体的な状況に応じて設置してもよく、本発明の実施例は具体的に制限しない。
【００３１】
本発明の実施例では、端末のシステムが起動した後、第２ディスプレイが通常の待機内容の表示を行い、端末の制御モジュールが起動して、端末からシステム信号、時間、ネットワーク等の状態情報を取得して表示するように第１ディスプレイを制御し、第１ディスプレイの初期化表示を完成させる。
【００３２】
本発明の実施例では、制御モジュールは端末における通知イベントを監視して、第１ディスプレイの初期化表示を完了して第１ディスプレイを制御して通知イベントを表示させるモジュールである。
【００３３】
本発明の実施例では、制御モジュールは第２ディスプレイを制御して端末システムの通知イベントを取得且つ表示させ、制御モジュールは端末システムの通知イベントを読み取る権限がある。
【００３４】
本発明の実施例では、制御モジュールが端末のインターフェースを介して元々端末の第２ディスプレイに表示する端末の通知イベントを監視する。
【００３５】
本発明の実施例では、第１ディスプレイが第２ディスプレイの拡張スクリーンであり、第２ディスプレイが端末における主に表示及び操作するスクリーンである。
【００３６】
本発明の実施例では、通知イベントはシステム又はサードパーティソフトウェアにより送信された、ユーザーに特定アプリケーションを操作するように通知するメッセージである。
【００３７】
好ましくは、通知イベントの表示方式がポップアップウィンドウ、プルダウン表示メニュー等の方式であってもよい。
【００３８】
Ｓ１０２において、通知イベントを感知した場合、通知イベントを第１ディスプレイに表示し、少なくとも２つのディスプレイが該第１ディスプレイと第２ディスプレイを含む。
【００３９】
制御モジュールが通知イベントを感知した後、該制御モジュールは該通知イベントを処理してから端末の第１ディスプレイに表示し、通知イベントの端末の第２ディスプレイと第１ディスプレイにおける表示形式が異なるため、通知イベントをカテゴリに応じて判定してから組版する必要がある。
【００４０】
本発明の実施例では、端末における第１アプリケーションが通知イベントを送信するとき、第２タッチディスプレイが元のシステムの通知イベントの取得プロセスに基づいて処理し、同時に、制御モジュールが通知イベントにおけるカテゴリ情報と該カテゴリ情報に対応する第１内容情報を含む第１通知情報を取得し、次に、取得された第１通知情報から異なるカテゴリ情報に基づいて第１ディスプレイに表示できる表示対象の情報を選別し、更に異なる表示対象の情報に基づいて異なる組版表示を行う。
【００４１】
本発明の実施例では、第１通知情報が第１アプリケーションの名称、第１アプリケーションのアイコン、通知イベントの内容等の情報であってもよい。
【００４２】
本発明の実施例では、表示対象の内容がテキスト情報と操作可能情報である。
【００４３】
本発明の実施例では、カテゴリ情報が通知イベントのカテゴリであって、表示カテゴリ情報、操作可能カテゴリ情報及び表示且つ操作可能カテゴリ情報に分けられる。
【００４４】
表示対象の情報がテキスト情報である場合、制御モジュールが自動改行等のシステムにおけるプリセットの表示方式でテキスト情報を表示する。
【００４５】
表示対象の情報が操作可能情報である場合、制御モジュールが操作可能情報に対応する操作可能ボタンを再レイアウトして、操作可能ボタンを指定されたソート方式でソートする。
【００４６】
例示的には、図２に示すように、デュアルディスプレイ携帯電話がショートメッセージ情報を受信したが、第２ディスプレイが第１アプリケーションを表示している場合、携帯電話のセカンダリーディスプレイ（第１ディスプレイ）における上方位置にショートメッセージの内容を表示するが、下方位置に閲読及びキャンセルの操作可能情報を表示する。
【００４７】
ただし、本発明の実施例では、システムに複数の通知イベントが発生する場合、第１ディスプレイがシステムにおける現在の通知イベントを順に表示し、ユーザーは対応するプリセットの操作（スライド操作）によって次の通知イベントをチェックすることができる。
【００４８】
本発明の実施例は端末における第１アプリケーションの通知イベントを第１ディスプレイに表示することにより、ユーザーの使用中の第２ディスプレイのスクリーンを遮るという問題を解決し、端末のスクリーンの表示効果を向上させると理解される。
【００４９】
実施例２
本発明の実施例は情報表示方法を提供し、図３に示すように、端末に適用され、該端末は少なくとも２つのディスプレイを備え、該方法は以下のステップを含んでもよい。
【００５０】
Ｓ２０１において、端末の制御モジュールが第１ディスプレイに対して初期化表示を完成させる。
【００５１】
本発明の実施例に係る情報表示方法は通知イベントが第１ディスプレイを遮るとき、通知イベントを第２ディスプレイに表示するシーンに適用される。
【００５２】
好ましくは、本発明の実施例における端末は携帯電話等の少なくとも２つのディスプレイを有する通信機器であってもよい。
【００５３】
本発明の実施例では、制御モジュールが起動した後、端末からシステム信号、時間、ネットワーク等の状態情報を取得して第１ディスプレイを制御して表示させ、第１ディスプレイの初期化表示を完成させる。
【００５４】
本発明の実施例では、第１ディスプレイが第２ディスプレイの拡張スクリーンであり、第２ディスプレイが端末における主に表示及び操作するスクリーンである。
【００５５】
Ｓ２０２において、第２ディスプレイに現在の表示内容を表示していることを検出した場合、制御モジュールが該第２ディスプレイに対応する通知イベントを監視し、該通知イベントが該現在の表示内容と異なり、少なくとも２つのディスプレイが該第１ディスプレイと第２ディスプレイを含む。
【００５６】
第１ディスプレイが初期化表示を完了した後、制御モジュールが第１アプリケーションの送信した通知イベントを監視する。
【００５７】
好ましくは、第１アプリケーションは例えば目覚まし時計、メモ等のシステムアプリケーションであってもよいし、例えばＱＱ、タオバオ等のサードパーティソフトウェアアプリケーションであってもよい。
【００５８】
本発明の実施例では、制御モジュールは第２ディスプレイを制御して端末システムの通知イベントを取得且つ表示させ、制御モジュールは端末システムの通知イベントを読み取る許可がある。
【００５９】
本発明の実施例では、制御モジュールが端末のインターフェースを介して元々端末の第２ディスプレイに表示している端末の通知イベントを監視する。
【００６０】
本発明の実施例では、通知イベントはシステム又はサードパーティソフトウェアの送信した、ユーザーに指定されたアプリケーションを操作するように通知するメッセージである。
【００６１】
好ましくは、通知イベントの表示方式がポップアップウィンドウ、プルダウン表示メニュー等の方式であってもよい。
【００６２】
本発明の実施例では、ユーザーは通知イベントを第１ディスプレイ又は第２ディスプレイに表示するように設定してもよい。
【００６３】
Ｓ２０３において、通知イベントを感知した場合、制御モジュールが第２ディスプレイに該通知イベントを表示することを終了する。
【００６４】
制御モジュールが第１アプリケーションの通知イベントを感知した場合、制御モジュールは該通知イベントを第１ディスプレイに表示するが、第２ディスプレイインターフェースに実行中の機能を通常に表示するが通知イベントを表示しない。
【００６５】
本発明の実施例では、制御モジュールが第１アプリケーションの通知イベントを感知した場合、第２ディスプレイが元の取得プロセスに基づいて通知イベントを取得し、取得された通知イベントを第２ディスプレイに表示するまで、制御モジュールが第２ディスプレイを制御して通知イベントを表示させない。
【００６６】
Ｓ２０４において、通知イベントを感知した場合、制御モジュールが該通知イベントの第１通知情報を取得し、該第１通知情報が該通知イベントのカテゴリ情報と該カテゴリ情報に対応する第１内容情報を含み、該第１通知情報が第１アプリケーションに対応する通知メッセージの関連情報である。
【００６７】
制御モジュールが第１アプリケーションの通知イベントを感知した場合、第１ディスプレイが通知イベントを表示するように、制御モジュールが第１アプリケーションにおける通知イベントを送信するインターフェースから該通知イベントの第１通知情報を取得する。
【００６８】
好ましくは、第１アプリケーションは例えば目覚まし時計、メモ等のシステムアプリケーションであってもよいし、例えばＱＱ、タオバオ等のサードパーティソフトウェアアプリケーションであってもよい。
【００６９】
本発明の実施例では、端末における第１アプリケーションが通知イベントを送信するとき、制御モジュールが通知イベントにおけるカテゴリ情報と該カテゴリ情報に対応する第１内容情報を含む第１通知情報を取得する。
【００７０】
本発明の実施例では、第１通知情報が第１アプリケーションの名称、第１アプリケーションのアイコン、通知イベントの内容等の情報であってもよい。
【００７１】
本発明の実施例では、カテゴリ情報が通知イベントのカテゴリであって、表示カテゴリ情報、操作可能カテゴリ情報及び表示且つ操作可能カテゴリ情報に分けられる。
【００７２】
本発明の実施例では、表示対象の内容がテキスト情報と操作可能情報である。
【００７３】
Ｓ２０５において、カテゴリ情報が表示カテゴリ情報であることを判定した場合、制御モジュールが第１内容情報から表示カテゴリ情報に対応するテキスト情報を決定する。
【００７４】
異なるカテゴリ情報が異なる表示対象の情報に対応するため、通知イベントのうちの第１通知イベントを取得した後、制御モジュールはカテゴリ情報の違いに応じて第１内容情報から異なる表示対象の情報を決定する必要があり、カテゴリ情報が表示カテゴリ情報である場合、対応する表示対象の情報がテキスト情報である。
【００７５】
本発明の実施例では、カテゴリ情報が表示カテゴリ情報であることを判定した場合、制御モジュールが第１内容情報から直接取得した情報はテキスト情報である。
【００７６】
本発明の実施例では、表示カテゴリ情報はショートメッセージ、電気残量通知等のユーザーにテキスト内容、状態内容及び他の内容をチェックするように通知するカテゴリ情報であってもよい。
【００７７】
Ｓ２０６において、カテゴリ情報が操作可能カテゴリ情報であることを判定した場合、制御モジュールが第１内容情報から操作可能カテゴリ情報に対応する操作可能情報を決定する。
【００７８】
異なるカテゴリ情報が異なる表示対象の情報に対応するため、通知イベントのうちの第１通知イベントを取得した後、制御モジュールはカテゴリ情報の違いに応じて第１内容情報から異なる表示対象の情報を決定する必要があり、カテゴリ情報が操作可能カテゴリ情報である場合、対応する表示対象の情報が操作可能カテゴリ情報である。
【００７９】
本発明の実施例では、操作可能カテゴリ情報は音楽の一時停止／起動、前曲／次曲等の操作を主とするカテゴリ情報である。
【００８０】
本発明の実施例では、操作可能情報は操作可能要素の表示情報、ｉｄ情報及び相対位置情報等を含んでもよい。
【００８１】
好ましくは、操作可能要素の表示情報はキー、ボタン等の通知イベントにおけるクリック操作を行うことのできる情報を含んでもよい。
【００８２】
本発明の実施例では、操作可能要素の相対位置情報は通知イベントにおける各操作可能要素の端末の第２ディスプレイにおける表示位置情報である。
【００８３】
Ｓ２０７において、カテゴリ情報が表示且つ操作可能カテゴリ情報であることを判定した場合、制御モジュールが第１内容情報から表示且つ操作可能カテゴリ情報に対応するテキスト情報と操作可能情報を決定する。
【００８４】
異なるカテゴリ情報が異なる表示対象の情報に対応するため、通知イベントのうちの第１通知イベントを取得した後、制御モジュールはカテゴリ情報の違いに応じて第１内容情報から異なる表示対象の情報を決定する必要があり、カテゴリ情報が表示且つ操作可能カテゴリ情報である場合、対応する表示対象の情報がテキスト情報と操作可能情報である。
【００８５】
本発明の実施例では、表示且つ操作可能カテゴリ情報は目覚まし時計、カレンダー等の既存のテキスト情報であって、操作できるカテゴリ情報であってもよい。
【００８６】
ただし、Ｓ２０５、Ｓ２０６及びＳ２０７は並列した３つのステップであり、具体的に、制御モジュールはカテゴリ情報の違いに応じて異なる表示対象の内容を決定し、本発明の実施例は制限しない。
【００８７】
Ｓ２０８において、制御モジュールが表示対象の情報を判定する。
【００８８】
第１ディスプレイにおける表示対象の情報を決定した後、該表示対象の情報を表示する。異なる表示対象の情報の表示スタイルが異なるため、表示対象の内容を表示する前に、表示対象の情報を判定する必要がある。
【００８９】
本発明の実施例では、制御モジュールは第１内容情報から決定した表示対象の情報を判定することにより、表示対象の情報の表示方式を決定する。
【００９０】
Ｓ２０９において、表示対象の情報がテキスト情報を含む場合、制御モジュールが該テキスト情報をプリセットの組版方式で組版する。
【００９１】
異なる表示対象の内容が異なる表示スタイルに対応するため、制御モジュールが表示対象の情報を決定した場合、表示対象の情報に対して対応するスタイルの表示を行うことができ、表示対象の情報がテキスト情報を含む場合、制御モジュールがプリセットの組版方式で組版する。
【００９２】
本発明の実施例では、表示対象の情報がテキスト情報を含む場合、テキスト情報をシステムプリセットの組版方式で第１ディスプレイに直接組版する。
【００９３】
本発明の実施例では、プリセットの表示方式は自動改行等のシステムにおける予め設定された表示方式を含んでもよい。
【００９４】
Ｓ２１０において、表示対象の情報が操作可能情報を含む場合、制御モジュールが該操作可能情報に対応する操作可能ボタンを再レイアウトして、プリセットのソート方式でソートする。
【００９５】
異なる表示対象の内容が異なる表示スタイルに対応するため、制御モジュールが表示対象の情報を決定した場合、表示対象の情報に対して対応するスタイルの表示を行うことができ、表示対象の情報が操作可能情報を含む場合、制御モジュールがプリセットのソート方式でソートする。
【００９６】
本発明の実施例では、操作可能ボタンはユーザーが表示対象の情報を操作できるボタンである。
【００９７】
本発明の実施例では、表示対象の情報が操作可能情報を含む場合、制御モジュールが操作可能ボタンを再描画して、一定の方式でソートし、再レイアウト後の操作可能ボタンと元の第２ディスプレイにおける操作可能ボタンとが一対一に対応する関係である。
【００９８】
例示的には、音楽の通知イベントには前曲、一時停止、次曲の３つの操作可能ボタンが含まれ、第２ディスプレイにおける表示位置に対応するのが１、３、５であり、表示ボタンがそれぞれａ、ｂ、ｃである。第１ディスプレイに表示するとき、第１ディスプレイのスクリーンがより小さいため、音楽の３つの操作可能ボタンの表示位置が１、２、３に縮小し、表示ボタンがＡ、Ｂ、Ｃであり、Ａがａに対応し、Ｂがｂに対応し、Ｃがｃに対応する。
【００９９】
ただし、Ｓ２０９とＳ２１０はＳ２０８の後の並列した２つのステップであり、具体的に、Ｓ２０８の後で、制御モジュールがどのステップを実行するかは表示対象の情報の異なる内容カテゴリによって決定され、本発明の実施例は制限しない。
【０１００】
Ｓ２１１において、制御モジュールが表示対象の情報を第１ディスプレイに表示する。
【０１０１】
表示対象の情報を組版した後、組版後の表示対象の情報を第１ディスプレイに表示する。
【０１０２】
本発明の実施例では、第１ディスプレイに１つの表示対象の情報を表示し、複数の表示対象の情報がある場合、ユーザーは対応するスライド操作を行って切り替えた次の表示対象の情報を表示する。
【０１０３】
Ｓ２１２において、カテゴリ情報が表示カテゴリ情報である場合、制御モジュールが制御命令を受信して、該制御命令に基づいて該表示カテゴリ情報のインターフェースに対して対応する制御操作を実行する。
【０１０４】
制御モジュールが表示対象の情報を組版して第１ディスプレイに表示した後、ユーザーが第１ディスプレイにおける通知時間を操作し、制御モジュールが異なるカテゴリ情報に基づいてユーザーの制御命令に応答し、カテゴリ情報が表示カテゴリ情報である場合、制御モジュールの実行するのはインターフェースに対応する制御操作である。
【０１０５】
本発明の実施例では、ユーザーが表示カテゴリ情報を操作するとき、実行するのはシステムによるインターフェースに対する制御である。
【０１０６】
好ましくは、インターフェース制御命令は上下スライド、左右スライド等を含んでもよい。
【０１０７】
例示的には、ユーザーが第１ディスプレイを上下にスライドするとき、現在のテキスト内容が完全に表示されていない場合、表示内容に対してページめくり操作を行い、ユーザーが第１ディスプレイを左右にスライドするとき、通知イベントの切り替えを行って、現在表示中のテキスト内容をクリアする。
【０１０８】
Ｓ２１３において、カテゴリ情報が操作可能カテゴリ情報又は表示且つ操作可能カテゴリ情報である場合、制御モジュールが第１命令を受信して、該第１命令に基づいて対応する操作可能ボタンの機能操作を実行する。
【０１０９】
制御モジュールが表示対象の情報を組版して第１ディスプレイに表示した後、ユーザーが第１ディスプレイにおける通知時間を操作し、制御モジュールが異なるカテゴリ情報に基づいてユーザーの第１命令に応答し、カテゴリ情報が操作可能カテゴリ情報又は表示且つ操作可能カテゴリ情報である場合、制御モジュールの実行するのは対応する操作可能ボタンの機能操作である。
【０１１０】
本発明の実施例では、ユーザーが操作可能カテゴリ情報又は表示且つ操作可能カテゴリ情報を操作するとき、実行するのは操作可能情報に対応する操作である。
【０１１１】
例示的には、ユーザーが第１ディスプレイにおける前曲ボタンＡをクリックするとき、端末がＡに対応する元の第２ディスプレイにおける前曲ボタンａの操作を実行する。
【０１１２】
ただし、Ｓ２１２とＳ２１３はＳ２１１の後の２つの並列したステップであり、具体的に、制御モジュールがどのステップを実行するかは異なるカテゴリ情報によって決定され、本発明の実施例は制限しない。
【０１１３】
本発明の実施例は端末における第１アプリケーションの通知イベントを第１ディスプレイに表示することにより、ユーザーの使用中の第２ディスプレイのスクリーンを遮るという問題を解決し、端末のスクリーンの表示効果を向上させると理解される。
【０１１４】
実施例３
図４に示すように、本発明の実施例は端末１を提供し、該端末１は少なくとも２つのディスプレイを備え、該端末１は、
第２ディスプレイに現在の表示内容を表示していることを検出した場合、前記第２ディスプレイに対応する通知イベントを監視するように構成され、前記通知イベントが前記現在の表示内容と異なる監視ユニット１０と、
前記通知イベントを感知した場合、前記通知イベントを第１ディスプレイに表示するように構成され、前記少なくとも２つのディスプレイが前記第１ディスプレイと前記第２ディスプレイを含む表示ユニット１１と、を備えてもよい。
【０１１５】
好ましくは、図５に示すように、前記端末１は更に終了ユニット１２を備える。
【０１１６】
前記終了ユニット１２は、前記通知イベントを感知した場合、前記第２ディスプレイに前記通知イベントを表示することを終了するように構成される。
【０１１７】
好ましくは、図６に示すように、前記端末１は更に取得ユニット１３と決定ユニット１４を備える。
【０１１８】
前記取得ユニット１３は、前記通知イベントの第１通知情報を取得するように構成され、前記第１通知情報が前記通知イベントのカテゴリ情報と前記カテゴリ情報に対応する第１内容情報を含み、前記第１通知情報が第１アプリケーションに対応する通知メッセージの関連情報である。
【０１１９】
前記決定ユニット１４は、前記カテゴリ情報に基づいて、前記第１内容情報からそれぞれ異なるカテゴリ情報に対応する表示対象の情報を決定するように構成される。
【０１２０】
前記表示ユニット１１は、具体的に、前記表示対象の情報を前記第１ディスプレイに表示するように構成される。
【０１２１】
好ましくは、前記決定ユニット１４は、具体的に、前記カテゴリ情報が前記表示カテゴリ情報であることを判定した場合、前記第１内容情報から前記表示カテゴリ情報に対応する前記テキスト情報を決定し、前記カテゴリ情報が前記操作可能カテゴリ情報であることを判定した場合、前記第１内容情報から前記操作可能カテゴリ情報に対応する前記操作可能情報を決定し、前記カテゴリ情報が前記表示且つ操作可能カテゴリ情報であることを判定した場合、前記第１内容情報から前記表示且つ操作可能カテゴリ情報に対応する前記テキスト情報と前記操作可能情報を決定するように構成される。
【０１２２】
好ましくは、図７に示すように、前記端末１は更に判定ユニット１５と組版ユニット１６を備える。
【０１２３】
前記判定ユニット１５は、前記表示対象の情報を判定するように構成される。
【０１２４】
前記組版ユニット１６は、前記表示対象の情報が前記テキスト情報を含む場合、前記テキスト情報をプリセットの組版方式で組版し、前記表示対象の情報が前記操作可能情報を含む場合、前記操作可能情報に対応する操作可能ボタンを再レイアウトして、プリセットのソート方式でソートするように構成される。
【０１２５】
好ましくは、図８に示すように、前記端末１は更に受信ユニット１７と操作ユニット１８を備える。
【０１２６】
前記受信ユニット１７は、前記カテゴリ情報が前記表示カテゴリ情報である場合、制御命令を受信して、前記カテゴリ情報が前記操作可能カテゴリ情報又は前記表示且つ操作可能カテゴリ情報である場合、第１命令を受信するように構成される。
【０１２７】
前記操作ユニット１８は、前記制御命令に基づいて前記表示カテゴリ情報のインターフェースに対して対応する制御操作を実行し、又は、前記第１命令に基づいて対応する操作可能ボタンの機能操作を実行するように構成される。
【０１２８】
図９に示すように、実際の応用では、上記監視ユニット１０、取得ユニット１３、決定ユニット１４、終了ユニット１２、判定ユニット１５、組版ユニット１６及び操作ユニット１８は端末１に位置するプロセッサ１９により実現されてもよく、具体的に、中央処理装置（ＣＰＵ）、マイクロプロセッサ（ＭＰＵ）、デジタルシグナルプロセッサ（ＤＳＰ）又はフィールドプログラマブルゲートアレイ（ＦＰＧＡ）等により実現され、表示ユニット１１はディスプレイ１１０により実現され、受信ユニット１７が受信機１１１により実現されてもよく、該端末１は更にメモリ１１２を備えてもよく、該メモリ１１２、ディスプレイ１１０、受信機１１１はプロセッサ１９に接続されてもよく、メモリ１１２は実行可能プログラムコードを記憶するように構成され、該プログラムコードはコンピュータ操作命令を含み、メモリ１１１は高速ＲＡＭメモリを含む可能性もあるし、更に不揮発性メモリ、例えば少なくとも１つの磁気ディスクメモリを含む可能性もある。
【０１２９】
本発明の実施例では、ソフトウェア機能モジュールの形式で上記情報表示方法を実現して、独立した製品として販売又は使用されるとき、１つのコンピュータ可読記憶媒体に記憶されてもよい。このような理解に基づき、本発明の実施例の技術案の本質又は従来技術に貢献する部分はソフトウェア製品の形式で具現されてもよく、該コンピュータソフトウェア製品は、１台のコンピュータ機器（パーソナルコンピュータ、サーバ、又はネットワーク機器等であってもよい）に本発明の各実施例における前記方法の全部又は一部を実行させるための複数の命令を含む１つの記憶媒体に記憶される。そして、上記記憶媒体はＵＳＢメモリ、ポータブルハードディスク、読み出し専用メモリ（ＲＯＭ：Ｒｅａｄ  Ｏｎｌｙ  Ｍｅｍｏｒｙ）、磁気ディスク又は光ディスク等のプログラムコードを記憶できる各種の媒体を含む。このように、本発明の実施例はいずれか特定のハードウェアとソフトウェアの組合せに制限しない。
【０１３０】
それに対応して、本発明の実施例は更にコンピュータ記憶媒体を提供し、該コンピュータ記憶媒体にコンピュータプログラムが記憶され、該コンピュータプログラムは本発明の実施例の上記情報表示方法を実行することに用いられる。
【０１３１】
当業者であれば、本発明の実施例は方法、システム、又はコンピュータプログラム製品を提供できると理解すべきである。従って、本発明はハードウェア実施例、ソフトウェア実施例、又はソフトウェアとハードウェア形態とを組み合わせた実施例の形式を用いてもよい。且つ、本発明はコンピュータ利用可能プログラムコードを含む１つ又は複数のコンピュータ利用可能記憶媒体（磁気ディスクメモリと光学メモリ等を含むが、それらに限らない）において実施するコンピュータプログラム製品の形式を用いてもよい。
【０１３２】
本発明は本発明の実施例に係る方法、機器（システム）及びコンピュータプログラム製品のフローチャート及び／又はブロック図を参照して説明したものである。コンピュータプログラム命令によってフローチャート及び／又はブロック図における各プロセス及び／又はブロック、及びフローチャート及び／又はブロック図におけるプロセス及び／又はブロックの組合せを実現してもよいと理解すべきである。これらのコンピュータプログラム命令を汎用コンピュータ、専用コンピュータ、組み込みプロセッサ又は他のプログラマブルデータ処理装置のプロセッサに供給して１つのマシンを生成し、それによりコンピュータ又は他のプログラマブルデータ処理装置のプロセッサの実行した命令によってフローチャートにおける１つのプロセス又は複数のプロセス及び／又はブロック図における１つのブロック又は複数のブロックにおいて指定された機能を実現するための装置を生成させる。
【０１３３】
これらのコンピュータプログラム命令は更にコンピュータ又は他のプログラマブルデータ処理装置が特定の方式で動作するように案内できるコンピュータ読み取り可能メモリに記憶されてもよく、それにより該コンピュータ読み取り可能メモリに記憶される命令に命令装置を備える製造品を生成させ、該命令装置がフローチャートにおける１つのプロセス又は複数のプロセス及び／又はブロック図における１つのブロック又は複数のブロックにおいて指定された機能を実現する。
【０１３４】
これらのコンピュータプログラム命令は更にコンピュータ又は他のプログラマブルデータ処理装置にアップロードされてもよく、それによりコンピュータ又は他のプログラマブルデバイスにおいて一連の操作ステップを実行することでコンピュータの実現した処理を発生させ、これにより、コンピュータ又は他のプログラマブルデバイスにおいて実行する命令はフローチャートにおける１つのプロセス又は複数のプロセス及び／又はブロック図における１つのブロック又は複数のブロックにおいて指定された機能を実現するためのステップを提供する。
【０１３５】
以上の説明は、本発明の好適な実施例に過ぎず、本発明の保護範囲を制限するためのものではない。
【図１】
2020500352.tif 000003
【図２】
2020500352.tif 000004
【図３】
2020500352.tif 000005
【図４】
2020500352.tif 000006
【図５】
2020500352.tif 000007
【図６】
2020500352.tif 000008
【図７】
2020500352.tif 000009
【図８】
2020500352.tif 000010
【図９】
2020500352.tif 000011
【国際調査報告】
2020500352.tif 000012
2020500352.tif 000013
2020500352.tif 000014
2020500352.tif 000015